(57)【要約】【課題】電子スロットル制御ハウジングにおけるセンサアセンブリの改良された取付けを提供する。【解決手段】上部ハウジング１２と、該上部ハウジングと係合する下部ハウジング１４と、上部ハウジングと下部ハウジングとの間に締め付けられるセンサアセンブリ２０とが設けられており、上部ハウジング又は下部ハウジングの内の一方が、スロット構造２２，２４を形成する面を有しており、センサアセンブリの部分が、スロット構造を形成する面と締りばめの関係でスロット構造に収容されている。【選択図】図１
2008002470.tif 000002
【特許請求の範囲】
【請求項１】
車両のための電子スロットル制御ハウジング構造において、
上部ハウジングと、
該上部ハウジングと係合する下部ハウジングと、
上部ハウジングと下部ハウジングとの間に締め付けられるセンサアセンブリとが設けられており、
上部ハウジング又は下部ハウジングの内の一方が、スロット構造を形成する面を有しており、センサアセンブリの部分が、スロット構造を形成する面と締りばめの関係でスロット構造に収容されていることを特徴とする、車両のための電子スロットル制御ハウジング構造。
【請求項２】
下部ハウジングがスロット構造を有している、請求項１記載のハウジング。
【請求項３】
下部ハウジングが、間隔を置いた関係で配置された１対のスロット構造を有しており、センサアセンブリが、両側に位置する端部を有しており、それぞれの端部が、スロット構造を形成する面と締りばめの関係で、関連するスロット構造に収容されている、請求項１記載のハウジング。
【請求項４】
前記端部が変形可能部分を有しており、これにより、端部が締りばめの関係にある場合に、変形可能部分が変形させられ、下部ハウジングにおけるセンサアセンブリの保持を保証するようになっている、請求項３記載のハウジング構造。
【請求項５】
上部ハウジングが、センサアセンブリの面に係合する締付け面を有している、請求項２記載のハウジング構造。
【請求項６】
上部ハウジングが、センサアセンブリの面に係合する締付け面を有している、請求項３記載のハウジング構造。
【請求項７】
締付け面が歯構造を有している、請求項５記載のハウジング構造。
【請求項８】
締付け面が歯構造を有している、請求項６記載のハウジング構造。
【請求項９】
センサアセンブリが、スロットルバルブのスロットルプレートの角度を検出するように構成及び配置されたセンサを有している、請求項１記載のハウジング構造。
【請求項１０】
センサアセンブリが、回路板と、該回路板を概して包囲したフレームとを有しており、上部ハウジングと下部ハウジングとがフレームにおいて締め付けている、請求項１記載のハウジング構造。
【請求項１１】
車両のための電子スロットル制御ハウジング構造において、
上部ハウジングと、
該上部ハウジングと係合する下部ハウジングと、
上部ハウジングと下部ハウジングとの間に締め付けられるセンサアセンブリとが設けられており、
センサアセンブリの部分を締りばめの関係で収容するための、上部ハウジング又は下部ハウジングのうちの一方に関連した手段が設けられていることを特徴とする、車両のための電子スロットル制御ハウジング構造。
【請求項１２】
収容するための手段が、下部ハウジングにスロット構造を形成する面である、請求項１１記載のハウジング構造。
【請求項１３】
スロット構造が、間隔を置いた関係で配置された１対のスロットを有しており、センサアセンブリが両側に位置した端部を有しており、それぞれの端部が、スロットを形成した面と締りばめの関係で、関連するスロットに収容されている、請求項１２記載のハウジング構造。
【請求項１４】
端部が変形可能部分を有しており、端部が締りばめの関係にある場合に、変形可能部分が変形させられ、下部ハウジングにおけるセンサアセンブリの保持を保証するようになっている、請求項１３記載のハウジング構造。
【請求項１５】
上部ハウジングが、センサアセンブリの面に係合する締付け面を有している、請求項１２記載のハウジング。
【請求項１６】
締付け面が歯構造を有している、請求項１５記載のハウジング構造。
【請求項１７】
センサアセンブリが、スロットルバルブのスロットルプレートの角度を検出するように構成及び配置されたセンサを有している、請求項１１記載のハウジング構造。
【請求項１８】
センサアセンブリが、回路板と、該回路板を概して包囲したフレームとを有しており、上部ハウジングと下部ハウジングとがフレームにおいて締め付けている、請求項１１記載のハウジング構造。
【請求項１９】
車両のための電子スロットル制御ハウジング構造においてセンサアセンブリを保持する方法において、
第１のハウジングと、第１のハウジングと係合するように構成及び配置された第２のハウジングとを提供し、第２のハウジングが、少なくとも１つのスロット構造を形成する面を有しており、第１のハウジングが締付け面を有しており、
センサアセンブリを提供し、
センサアセンブリの部分を、該部分が、スロット構造を形成する面と締りばめの関係になるように、スロット構造に挿入し、
締付け面がセンサアセンブリの面に係合するように第１のハウジングを第２のハウジングに結合することを特徴とする、車両のための電子スロットル制御ハウジング構造においてセンサアセンブリを保持する方法。
【請求項２０】
第２のアセンブリを提供するステップが、両側における端部を有するセンサアセンブリを含み、１対のスロット構造が提供され、挿入ステップが、前記部分を形成する端部を関連するスロット構造に挿入することを含む、請求項１９記載の方法。
【発明の詳細な説明】
【技術分野】
【０００１】
本願は、引用により全体が本明細書に記載されたものとする、２００６年６月２１日に出願された米国特許仮出願第６０／８０５３９３号明細書のより早い出願日の利益を請求する。
【０００２】
本発明は、電子スロットル制御、特に電子スロットル制御ハウジングにおけるセンサアセンブリの取付けに関する。
【背景技術】
【０００３】
車両のための慣用の電子スロットル制御において、センサエレメントは一般的にねじ又は接着剤によってハウジングに固定されている。これは、アセンブリにコストを付加し、しばしばより大きなパッケージングを要求する。
【０００４】
電子スロットル制御ハウジングにおけるセンサアセンブリの改良された取付けを提供することが必要とされている。
【発明の開示】
【発明が解決しようとする課題】
【０００５】
本発明の目的は上記要求を満たすことである。
【課題を解決するための手段】
【０００６】
本発明の原理によれば、車両のための電子スロットル制御ハウジング構造は、上部ハウジングと、上部ハウジングに係合する下部ハウジングと、上部ハウジングと下部ハウジングとの間に締め付けられるセンサアセンブリとを有している。上部ハウジング又は下部ハウジングの一方は、スロット構造を形成する面を有している。センサアセンブリの部分は、スロット構造を形成する面と締りばめ関係でスロット構造に収容されている。
【０００７】
本発明のさらに別の態様によれば、車両のための電子スロットル制御ハウジング構造にセンサアセンブリを保持する方法は、第１のハウジングと、第１のハウジングと係合するように構成及び配置された第２のハウジングとを提供する。第２のハウジングは、少なくとも１つのスロット構造を形成する面を有している。第１のハウジングは締付け面を有している。センサアセンブリが提供され、センサアセンブリの部分は、この部分がスロット構造を形成する面と締りばめ関係になるようにスロット構造に挿入される。第１のハウジングは、締付け面がセンサアセンブリの面と係合するように、第２のハウジングに結合される。
【０００８】
本発明のその他の目的、特徴及び特性、並びに、操作方法、構造の関連したエレメントの機能、部材の組合せ、製造の経済性は、本明細書の一部を構成した添付の図面に関連した以下の詳細な説明及び添付の請求項を考慮することにより、より明らかになるであろう。
【発明を実施するための最良の形態】
【０００９】
本発明は、添付の図面に関連した好適な実施形態の以下の詳細な説明からより理解されるであろう。これらの図面においては同じ参照符号が同じ部材を表している。
【００１０】
図１を参照すると、概して１０で示された電子スロットル制御ハウジング構造の分解図が本発明の実施形態に従って示されている。ハウジング構造１０は電子スロットル制御を有する車両（図示せず）において使用されている。ハウジング構造１０は上部ハウジング１２と下部ハウジング１４とを有している。上部ハウジング１２は、スロットルバルブハウジング部分を形成するために下部ハウジング１４の部分１８と係合するように構成及び配置された部分１６を有している。慣用のスロットルバルブ（図示せず）はこのハウジング部分に収容されている。
【００１１】
概して２０で示されたセンサアセンブリは、締りばめのみによってハウジング構造１０に保持されている。センサアセンブリ２０はセンサ１５を有しており、このセンサ１５は、スロットルバルブのスロットルプレートの角度を検出し、この角度に比例するアナログ信号を出力する。車両のパワートレイン制御モジュール（図示せず）は、スロットルプレートを所望の角度に駆動するためにスロットルボディにおけるＤＣモータを備えた閉ループ制御においてこの情報を使用する。センサ１５は回路板１９に関連しており、プラスチックフレーム１７は概して回路板１９を包囲している。
【００１２】
図１及び図２を参照すると、下側ハウジング１４は、センサアセンブリ２０の個々の反対側の端部２６，２８をプレスばめ関係で収容するように構成及び配置されたスロット構造２２及び２４を形成する面を有する直立したボス２１を有している。したがって、スロット構造２２及び２４は、間隔を置いた関係で１対のスロットを形成している。センサアセンブリ２０のそれぞれの端部２６，２８は、下部ハウジング１４におけるセンサアセンブリ２０の保持を保証するために、スロット構造２２，２４を形成する面と係合することによって変形するように構成及び配置された変形可能部分３０を有している。図３は、変形可能部分３０が変形されながらスロット構造２２，２４に完全に挿入されたセンサアセンブリを示している。
【００１３】
図４を参照すると、センサアセンブリ２０がスロット構造２２，２４に完全に挿入されると、上部ハウジング１２は、センサアセンブリ２０の面と締付け係合するように下部ハウジング１４と結合される。特に、図２及び図４を参照すると、上部ハウジング１２の締付け面３１は、センサアセンブリの端部２６の面３４と係合し、センサアセンブリを上部ハウジングと下部ハウジングとの間に締め付ける。締付け面３１と同様の別の面（図示せず）はセンサアセンブリ２０の面３２に係合する。図５に示されたように、センサアセンブリ２０に係合する締付け面（例えば面３１）は、締付けを容易にするために歯構造３６等の表面形状を有することができる。上部ハウジング１２及び下部ハウジング１４はセンサアセンブリ２０のフレーム１７に対して締め付ける。
【００１４】
実施形態において、下部ハウジング１４がスロット２２，２４を有しておりかつ上部ハウジング１２が締付け面３１を有しているが、スロット２２，２４が上部ハウジング１２に設けられることができ、締付け面３１が下部ハウジング１４に設けられることができる。さらに、１対のスロット構造が示されているが、１つ又は３つ以上のスロット構造が設けられ、これらのスロット構造にセンサアセンブリ３０の対応する部分が収容されることができる。
【００１５】
したがって、ハウジング構造１０におけるセンサアセンブリ２０の締りばめ及び締付けにより、センサアセンブリ２０をハウジング構造１０に取り付けるための固定具又は接着剤が必要とされない。これにより、コストが低減され、全体的なパッケージング寸法が縮小されることができる。
【００１６】
前記好適な実施形態は、本発明の構造的及び機能的原理を示すために、及び好適な実施形態を使用する方法を示すために、示されかつ説明されたが、このような原理から逸脱することなく変更されることができる。したがって、本発明は請求項の精神に含まれる全ての変化実施例を含む。
【図面の簡単な説明】
【００１７】
【図１】本発明の実施形態によるセンサアセンブリを収容するための電子スロットル制御ハウジング構造の分解図である。
【図２】図１のハウジング構造の下部ハウジングに挿入されているセンサアセンブリを示した、拡大された正面図である。
【図３】図２の下部ハウジングに完全に挿入されたセンサアセンブリを示す拡大図である。
【図４】図１のハウジング構造の上部ハウジングによって締め付けられたセンサアセンブリの図である。
【図５】図１の上部ハウジングの締付け面を示している。
【符号の説明】
【００１８】
１０  電子スロットル制御ハウジング、  １２  上部ハウジング、  １４  下部ハウジング、  １５  センサ、  １７  プラスチックフレーム、  １８  部分、  １９  回路板、  ２０  センサアセンブリ、  ２１  ボス、  ２２，２４  スロット構造、  ２６，２８  端部、  ３０  変形可能部分、  ３１  締付け面、  ３２  面、  ３４  面、  ３５  歯構造
【図１】
2008002470.tif 000003
【図２】
2008002470.tif 000004
【図３】
2008002470.tif 000005
【図４】
2008002470.tif 000006
【図５】
2008002470.tif 000007